(57)【特許請求の範囲】
【請求項１】
本体の少なくとも前面上部に吸込口を、前面下部に吹出口を夫々設け、これら吸込口および吹出口を結ぶ空気通路に熱交換器および送風ファンを設け、同送風ファンの一側に、垂直状に立設された基板と、同基板に穿設された複数の接続孔に接続ピンが夫々接続される電源トランスとを備えた電装品箱が設けられてなる空気調和機において、
前記電装品箱の底面に、前記電源トランスの脚部を固定するねじ孔を備えた固定台を突設し、前記基板に、前記接続ピンの上下部に対応する矩形状の第一挿通孔と、前記電源トランスの脚部を臨ませた矩形状の第二挿通孔とを夫々穿設する一方、前記複数の接続孔をカバーする垂直部と、同垂直部の上下端に突設され、前記上下の第一挿通孔に夫々係止する係止部と、前記第二挿通孔を挿通し、前記電源トランスの脚部と一緒に前記固定台に固定される固定孔を備えた固定部とからなるトランス固定具を設けてなることを特徴とする空気調和機。
【請求項２】
前記トランス固定具の垂直部に、先端が前記基板に当接するスペースリブを立設し、同スペースリブにより、前記垂直部と前記電源トランスの接続ピンとの間に所定の隙間を設けるようにしてなることを特徴とする請求項１に記載の空気調和機。
【請求項３】
前記スペースリブが、前記係止部の両側に立設されてなることを特徴とする請求項２に記載の空気調和機。
【請求項４】
前記固定部に備えた固定孔が、同固定部の長手方向に延びて前記垂直部に到る長孔からなることを特徴とする請求項１または請求項２に記載の空気調和機。
【請求項５】
前記上下の係止部は、互いに向き合う係止爪が先端に形成されると共に、前記垂直部に、前記係止爪を臨ませる透孔が形成されてなることを特徴とする請求項１に記載の空気調和機。
【発明の詳細な説明】
【０００１】
【発明の属する技術分野】
本発明は、空気調和機に係わり、より詳細には、電装品箱内の基板に取り付けられる電源トランスの取付構造に関する。
【０００２】
【従来の技術】
従来の空気調和機は、図１（Ａ）および図１（Ｂ）と、図５（Ａ）および図５（Ｂ）とで示すように、本体Ａの前面上部および上面に吸込口１を、前面下部に吹出口２を夫々設け、これら吸込口１および吹出口２を結ぶ空気通路に熱交換器３および送風ファン４を設け、同送風ファン４の一側に、垂直状に立設された基板５と、同基板５に穿設された複数の接続孔5aに接続ピン6aがハンダ付けによって夫々接続される電源トランス６とを備えた電装品箱７が設けられてなる構成であった。
【０００３】
しかしながら、例えば本体Ａを運搬中に落下させて衝撃が加わってしまったような場合、とくに前記電源トランス６の接続ピン6aの根元に応力が集中し、ハンダクラックや電気的なショートが生じて発火の原因になる恐れがあった。
【０００４】
そのため、前記電源トランス６を強固に固定できるようにして、仮に衝撃が加わった場合であっても、前記接続ピン6aの根元に応力が集中しないようにすることが望まれていた。
【０００５】
【発明が解決しようとする課題】
本発明は、上記問題点を解決し、電装品箱内の基板に取り付けられる電源トランスの取付強度を増強し、衝撃が加わっても電源トランスの接続ピンの根元に応力が集中しないようにした空気調和機を提供することを目的としている。
【０００６】
【課題を解決するための手段】
本発明は、上記の課題を解決するため、本体の少なくとも前面上部に吸込口を、前面下部に吹出口を夫々設け、これら吸込口および吹出口を結ぶ空気通路に熱交換器および送風ファンを設け、同送風ファンの一側に、垂直状に立設された基板と、同基板に穿設された複数の接続孔に接続ピンが夫々接続される電源トランスとを備えた電装品箱が設けられてなる空気調和機において、
前記電装品箱の底面に、前記電源トランスの脚部を固定するねじ孔を備えた固定台を突設し、前記基板に、前記接続ピンの上下部に対応する矩形状の第一挿通孔と、前記電源トランスの脚部を臨ませた矩形状の第二挿通孔とを夫々穿設する一方、前記複数の接続孔をカバーする垂直部と、同垂直部の上下端に突設され、前記上下の第一挿通孔に夫々係止する係止部と、前記第二挿通孔を挿通し、前記電源トランスの脚部と一緒に前記固定台に固定される固定孔を備えた固定部とからなるトランス固定具を設けた構成となっている。
【０００７】
また、前記トランス固定具の垂直部に、先端が前記基板に当接するスペースリブを立設し、同スペースリブにより、前記垂直部と前記電源トランスの接続ピンとの間に所定の隙間を設けるようにした構成となっている。
【０００８】
また、前記スペースリブが、前記係止部の両側に立設された構成となっている。
【０００９】
また、前記固定部に備えた固定孔が、同固定部の長手方向に延びて前記垂直部に到る長孔からなる構成となっている。
【００１０】
更に、前記上下の係止部は、互いに向き合う係止爪が先端に形成されると共に、前記垂直部に、前記係止爪を臨ませる透孔が形成された構成となっている。
【００１１】
【発明の実施の形態】
以下、本発明の実施の形態を図面に基づいた実施例として詳細に説明する。
図１は本発明（および従来例）による空気調和機の説明図で、（Ａ）は断面図、（Ｂ）は斜視図であり、図２は本発明による空気調和機の要部分解斜視図であり、図３は本発明による空気調和機の要部説明図で、（Ａ）は斜視図、（Ｂ）は組立図であり、図４は本発明による空気調和機の要部説明図で、（Ａ）はトランス固定具の前面側からみた斜視図、（Ｂ）は背面側からみた斜視図である。
【００１２】
本発明による空気調和機は、図で示すように、前面を開放したベースＢと、同ベースＢの前面に装着された前面パネルＣとで本体Ａが構成され、同本体Ａの前面上部および上面には吸込口１が設けられ、前面下部には吹出口２が設けられている。
【００１３】
前記吸込口１と、前記吹出口２とを結ぶ空気通路には、前記吸込口１から吸い込まれた吸込空気を熱交換する熱交換器３と、熱交換された空気を前記吹出口２に送出する送風ファン４とが設けられている。
【００１４】
前記送風ファン４の一側には、垂直状に立設された基板５と、同基板５に穿設された複数の接続孔5aに接続ピン6aがハンダ付けによって夫々接続される電源トランス６とを備えた電装品箱７が設けられている。
【００１５】
また、前記電装品箱７の底面には、前記電源トランス６の脚部6bを固定するねじ孔7aを備えた固定台7bを突設し、前記基板５には、前記接続ピン6aの上下部に対応する矩形状の第一挿通孔5bと、前記電源トランス６の脚部6bを臨ませた矩形状の第二挿通孔5cとを夫々穿設している。
【００１６】
そして、前記電源トランス６をより正確に、且つ強固に固定するため、前記複数の接続孔5aをカバーする垂直部8aと、同垂直部8aの上下端に突設され、前記上下の第一挿通孔5bに夫々係止する係止部8bと、前記第二挿通孔5cを挿通し、前記電源トランス６の脚部6bと一緒に前記固定台7bに固定される固定孔8cを備えた固定部8dとからなるトランス固定具８を設けた構成となっている。
【００１７】
以上の構成により、次に動作について説明する。
前記電源トランス６を固定する際、図２と、図３（Ａ）および図３（Ｂ）とで示すように、前記電源トランス６の接続ピン6aを、前記電装品箱７の底面に立設された前記基板５の接続孔5aに挿通したのちハンダ付けして接続すると共に、前記電源トランス６の脚部6bを前記固定台7bの上面に載せておく。
【００１８】
次に、前記基板５に設けられた前記上下の第一挿通孔5bに、前記トランス固定具８の係止部8b先端に形成された係止爪8b' を係止すると共に、前記第二挿通孔5cを通した前記固定部8dを、前記脚部6bと前記固定台7bとの間に挟み込むようにする。
【００１９】
そして、前記電源トランス６の脚部6bに穿設された挿通孔と、前記固定孔8cとを通したねじを前記ねじ孔7aに螺着して前記電源トランス６を前記固定台7b上に固定する。
【００２０】
これにより、例えば本体Ａを運搬中に落下させて衝撃が加わってしまったような場合であっても、前記電源トランス６の脚部6bが前記固定台7b上に固定されているのと同時に、前記基板５の接続孔5aに挿通したのちハンダ付けされた前記接続ピン6aの接続部が、前記基板５の第一挿通孔5bに係止された前記トランス固定具８の係止部8bなどにより構造的に補強されているので、前記接続ピン6aの根元に応力が集中してしまうということがなくなる。
【００２１】
また、前記トランス固定具８の垂直部8aには、先端が前記基板５に当接するスペースリブ8eを立設し、同スペースリブ8eにより、図３（Ｂ）で示すように、前記垂直部8aと前記電源トランス６の接続ピン6aとの間に所定の隙間を設けるようにした構成となっているので、前記電源トランス６の一側部を前記基板５に当接させた状態にするのと同時に、同基板５を、前記トランス固定具８の係止部8b先端に形成された係止爪8b' と、前記スペースリブ8eとで挟み込むことによって更に強固な構造となり、前記接続ピン6aの先端が前記垂直部8aに接触しないように保護すると共に、前記接続ピン6aの根元に応力が集中してしまわないよう効果的に防止できるようにした構造となる。
【００２２】
なお、前記スペースリブ8eが、図２で示すように前記係止部8bの両側に複数づつ立設された構成となっているので、同スペースリブ8eの先端を前記基板５に正確に当接して、前記基板５の接続孔5aと前記接続ピン6aとの接続部を正確に保護できるようになる。
【００２３】
次に、前記トランス固定具８の構造について説明する。前記トランス固定具８は、合成樹脂製の成形品とすることでコスト的に有利な構成となっている。
すなわち、成形時の金型を簡素化するため、例えば図４（Ａ）および図４（Ｂ）で示すように、前記固定部8dに備えた固定孔8cが、同固定部8dの長手方向に延び前記垂直部8aに到って切欠孔8c' 形成する長孔からなり、また、前記上下の係止部8bは、互いに向き合う係止爪8b' が先端に形成されると共に、前記垂直部8aに、前記係止爪8b' を臨ませる透孔8fが形成された構成となっている。
【００２４】
これによって、前記トランス固定具８を成形する金型は、前記固定部8dの長手方向のスライドのみ考慮して構成すればよく、図４（Ａ）および図４（Ｂ）における上下方向のスライドを考慮する必要がないため、大幅に簡素化されることになる。
【００２５】
なお、前記固定孔8cが長孔からなる構成となっているので、前記トランス固定具８を固定する際、前記スペースリブ8eを前記基板５に正確に当接させるようにスライドさせることができる。
【００２６】
【発明の効果】
以上説明したように、本発明によると、電装品箱内の基板に取り付けられる電源トランスの取付強度を増強し、衝撃が加わっても電源トランスの接続ピンの根元に応力が集中しないようにした空気調和機となる。
【図面の簡単な説明】
【図１】本発明（および従来例）による空気調和機の説明図で、（Ａ）は断面図であり、（Ｂ）は斜視図である。
【図２】本発明による空気調和機の要部分解斜視図である。
【図３】本発明による空気調和機の要部説明図で、（Ａ）は斜視図であり、（Ｂ）は組立図である。
【図４】本発明による空気調和機の要部説明図で、（Ａ）はトランス固定具の前面側からみた斜視図であり、（Ｂ）は背面側からみた斜視図である。
【図５】従来例による空気調和機の要部説明図で、（Ａ）は電源トランスを取り付けた状態を示す斜視図であり、（Ｂ）は側面図である。
【符号の説明】
１  吸込口
２  吹出口
３  熱交換器
４  送風ファン
５  基板
5a  接続孔
5b  第一挿通孔
5c  第二挿通孔
６  電源トランス
6a  接続ピン
6b  脚部
7a  ねじ孔
7b  固定台
８  トランス固定具
8a  垂直部
8b  係止部
8b' 係止爪
8c  固定孔
8c' 切欠孔
8d  固定部
8e  スペースリブ
8f  透孔
Ａ  本体
Ｂ  ベース
Ｃ  前面パネル
【図１】
0003829714.tif 000002
【図２】
0003829714.tif 000003
【図３】
0003829714.tif 000004
【図４】
0003829714.tif 000005
【図５】
0003829714.tif 000006